(57)【要約】      （修正有）【課題】接木作業において、台木や穂木の切削面が平面よりもゆるく凹んで切削できる接木ナイフを提供する。【解決手段】刃の切削方向に対して、上方又は下方に凹状に湾曲する刃体４２を有する接木ナイフを用いて、台木と穂木の切削面を平面よりもゆるく凹んで切削する事により台木と穂木の切削面に於いて、木質部同士が接触することがない様にした。【選択図】図４
0003178653.tif 000002
【実用新案登録請求の範囲】
【請求項１】
刃の切削方向に対して上方又は下方に凹状に湾曲している刃を有することを特徴とする接木ナイフ。
【請求項２】
ホルダーと刃から成るナイフであって、ホルダーの一方に凹状に湾曲している装着部を他方に柄を有するホルダーの前記装着部に刃体を装着して挟持する事により湾曲させた刃先を有する接木ナイフ。
【請求項３】
請求項２に記載の刃が薄板状である接木ナイフ
【考案の詳細な説明】
【技術分野】
【０００１】
本考案は、接木ナイフに関するものである。
【背景技術】
【０００２】
従来、接木に使用されているナイフは図１に示すごとくの片刃の小刀で刃先が直線状のものであるから、接木の作業に於いて、台木や穂木を切削すると、その切削面は平らな面となる。
【先行技術文献】
【特許文献】
【０００３】
【特許文献１】実開昭５３−９６５４９号公報
【考案の概要】
【考案が解決しようとする課題】
【０００４】
従来より使用されている接木ナイフは、片刃の小刀で直線的な刃先を有するものであるから、台木や穂木を切削するとそれらの切削面は平らなものとなる。接木は、台木と穂木の切削面を向い合わせ両者の形成層同士をぴったりと重ね合わせ、その外周に接木テープを巻いてしめつけ両者の接触面に一定以上の圧力を加えておく作業であるが、この時に加えられる圧力は、台木と穂木の接触する全面に等しくかけられている訳ではない。他の部位よりも固い上に接触面積が一番広いことから、加えられる圧力の多くは、台木と穂木の木質部同士の接触する部位にかけられてしまう現実がある。しかし接木に於いて台木と穂木の切削面の中で、どの部位よりも優先してどの部位よりも強い圧力を加えたいのは、台木と穂木の形成層同士の接触部位の方である。この不合理は、従来の接木ナイフの刃先が直線状であることによって台木や穂木の切削面が平面に切削されるがゆえに生ずる課題である。
【課題を解決するための手段】
【０００５】
そこで、本考案は図２に示す如く、刃の切削方向に対して上方または下方に凹状に湾曲する刃を有する接木ナイフを用いて、台木や穂木の切削面が平面よりもゆるく凹んで切削することができる様にした。このようにすると、台木と穂木の切削面を向かい合わせて重ね圧力を加えても両者の木質部同士は接触せず、かけられる圧力のすべては台木と穂木の樹皮同士や形成層同士の接触する部位の方にかけられるようになる。
【考案の効果】
【０００６】
本考案の、刃の切削方向に対して、上方又は下方に凹状に湾曲している刃を有する接木ナイフで、台木や穂木を切削すると、その切削面は平面よりもゆるく凹んで切削されるため、台木と穂木の切削面の樹皮同士、形成層同士を向い合わせて重ね、その外側に接木テープを巻いて締めつけ前記接触面に圧力を加えるとその圧力は、従来のように台木と穂木の木質部同士が接触することがなく、接木に於いて、切削面の中でどの部位よりも優先して圧力をつよくかけたい台木と穂木の形成層同士の接触部位に十分な圧力を加えることができるようになり、台木と穂木の切削面の両者の接触部位の空気をつよくしめだして密着させ、乾燥を防止して台木の形成層から穂木の形成層への水分や養分の移動や補給を容易にして接木の成功率を向上させることができる。また、前記により台木と穂木の木質部同士の接触がなくなった事により、接木テープを巻いて締めつける力は従来程に強くなくとも良くなり、接木の作業を楽にし作業効率を向上させる事ができる。
【図面の簡単な説明】
【０００７】
【図１】図１は従来の接木ナイフ
【図２】図２は従来の接木ナイフを用いた接木の部位の横断面図
【図３】図３は本考案の接木ナイフを用いた接木の部位の横断面図
【図４】図４は本考案の接木ナイフ
【図５】図５は薄板状の刃
【図６】図６は薄板状の刃を挟持するホルダー
【図７】図７は薄板状の刃を挟持した接木ナイフ
【考案を実施するための形態】
【実施例１】
【０００８】
従来の接木ナイフ１は図１の如く直線的な刃先１１を有しているため、台木２や穂木３を切削すると、その切削面は平面になる。図２の如く従来の接木ナイフ１によって切削した台木２と穂木３の切削面を向かい合わせて重ね合わせると、台木２と穂木３の木質部２３と３３同士が接触して前記切削面の樹皮２１と３１同士、同じく形成層２２と３２同士の接触部位にかけたい圧力を妨害したり横取りしたりしている現実があるが接木の作業において最も優先して強い圧力を加えたいのは台木２と穂木３の形成層２２と３２同士の接触部位である。そこで本考案の接木ナイフ４は図４の如く、刃の切削方向に対して上方又は下方に凹状にゆるく湾曲した刃体４２を有する接木ナイフを設け台木２や穂木３を切削するとその切削面は平面よりもゆるく凹んで切削される。よって、図３の如く、台木２と穂木３の切削面を向かい合わせ、樹皮２１と３１、形成層２２と３２を重ね合わせその外側に接木テープを巻いてしめつけ前記の接触面に圧力を加えると、従来のように台木２と穂木３の木質部２３と３３同士が凹んでいて接触しないため、接木テープを巻いてしめつける圧力のすべては、台木２と穂木３の樹皮２１と３１、形成層２２と３２の接触部位にかけることができるようになった。かけられるその圧力はまずは外側の台木２と穂木３の樹皮２１と３１の接触面にかけられるがこの部位はやわらかい為、すぐに押しつぶされて平らになり次には台木２と穂木３の形成層２２と３２をつよく密着させ両者の間の空気をしめ出して乾燥を防止すると共に台木２の形成層２２から穂木３の形成層３２へ水分や養分を受け渡し、補給するのに十分な圧力を得て、接木の成功率を向上させることができる。従来のように、台木２と穂木３の切削面の木質部２３と３３同士の接触がなくなった事により接木テープを従来ほどに強く巻いて締めつけなくても十分な圧力が得られ、接木の作業が楽になり作業の能率も向上する。なお、本考案における接木ナイフの刃先は片刃、両刃の区別は特定しない。
【実施例２】
【０００９】
実施例１同様、台木２や穂木３の切削面が平面よりもゆるく凹んで切削することができる接木ナイフを得る今一つの方法で、切削方向に対して、上方又は下方にゆるく湾曲した装着部６１を有するホルダー６を開いて、前記装着部６１にカミソリ刃の如く平板状の薄い刃体５を装着して挟持し、図７の如く、柄６２、６２を閉じ、バンド６３をはめて湾曲させた刃体５、刃先５１を有する接木ナイフを得る。この方式は摩耗した刃がすぐに取り替えられるので常に良好な切れ味を提供することができる。
【符号の説明】
【００１０】
１    従来の接木ナイフ
２    台木
３    穂木
４    本考案の接木ナイフ
５    薄板状の刃体
６    刃体５を挟持するホルダー
１１    従来の接木ナイフの刃先
２１    台木２の樹皮
２２    台木２の形成層
２３    台木２の木質部
３１    穂木３の樹皮
３２    穂木３の形成層
３３    穂木３の木質部
４１    本考案の接木ナイフの刃先
４２    本考案の接木ナイフの刃体
４３    本考案の接木ナイフの柄
５１    薄板状の刃体の刃先
６１    刃体５の装着部
６２    ホルダー６の柄
６３    バンド
【図１】
0003178653.tif 000003
【図２】
0003178653.tif 000004
【図３】
0003178653.tif 000005
【図４】
0003178653.tif 000006
【図５】
0003178653.tif 000007
【図６】
0003178653.tif 000008
【図７】
0003178653.tif 000009
【手続補正書】
【提出日】平成24年7月24日(2012.7.24)
【手続補正１】
【補正対象書類名】実用新案登録請求の範囲
【補正対象項目名】請求項２
【補正方法】変更
【補正の内容】
【請求項２】
ホルダーと刃から成るナイフであって、一方に刃の切削方向に対して上方又は下方に凹状に湾曲している装着部と他方に柄とを有するホルダーの前記装着部に刃体を装着して挟持する事により湾曲させた刃先を有する接木ナイフ。